(57)【特許請求の範囲】
【請求項１】
既設扉体に形成された開口部に設けられる子扉ユニットであって、
前記開口部を囲む前記既設扉体の縁部に沿って取り付けられる支持枠体と、
前記支持枠体よりも前記開口部の内方に設けられる戸当たり面部を備えるとともに、該支持枠体に支持される子扉用枠体と、
前記子扉用枠体に支持される子扉本体と、を備え、
前記既設扉体は、互いに離隔した一対の板材を備え、
前記支持枠体は、前記一対の板材の間に設けられ、
前記子扉用枠体は、前記一対の板材のうち少なくとも一方を前記支持枠体とともに見込み方向から挟む固定部を備え、
前記支持枠体と前記固定部とは、前記板材を貫通する固定部材によって互いに固定されることを特徴とする子扉ユニット。
【請求項２】
前記子扉用枠体には、少なくとも室外側から前記固定部を覆う被覆部材が設けられることを特徴とする請求項１に記載の子扉ユニット。
【請求項３】
既設扉体に形成された開口部に設けられる子扉ユニットであって、
前記開口部を囲む前記既設扉体の縁部に沿って取り付けられる支持枠体と、
前記支持枠体よりも前記開口部の内方に設けられる戸当たり面部を備えるとともに、該支持枠体に支持される子扉用枠体と、
前記子扉用枠体に支持される子扉本体と、を備え、
前記支持枠体の見付け面には、前記既設扉体に接着される接着部材が設けられ、
前記接着部材は、前記見付け面に沿って充填されたハニカム構造を有することを特徴とする子扉ユニット。
【請求項４】
前記既設扉体と前記子扉用枠体との間には、止水部材が設けられることを特徴とする請求項１〜３いずれか１項に記載の子扉ユニット。
【請求項５】
既設扉体に形成された開口部に設けられ、前記開口部を囲む前記既設扉体の縁部に沿って取り付けられる支持枠体と、前記支持枠体よりも前記開口部の内方に設けられる戸当たり面部を備えるとともに該支持枠体に支持される子扉用枠体と、前記子扉用枠体に支持される子扉本体と、を備えた子扉ユニットを前記既設扉体に設置する子扉ユニットの施工方法であって、
前記既設扉体に前記開口部を形成し、
前記支持枠体を前記既設扉体に固定し、
前記子扉用枠体を前記支持枠体に固定し、
前記子扉本体を前記子扉用枠体に支持させることを特徴とする子扉ユニットの施工方法。
【請求項６】
請求項１〜４いずれか１項に記載の子扉ユニットを前記既設扉体に設置する子扉ユニットの施工方法であって、
前記既設扉体に開口部を形成し、
前記支持枠体を前記既設扉体に固定し、
前記子扉用枠体を前記支持枠体に固定し、
前記子扉本体を前記子扉用枠体に支持させることを特徴とする子扉ユニットの施工方法。
【発明の詳細な説明】
【技術分野】
【０００１】
本発明は、既設扉体に形成した開口部に設けられる子扉ユニット及び該子扉ユニットの施工方法に関する。
【背景技術】
【０００２】
従来、既設扉体に形成した開口部に子扉が設けられた扉体が提案されている（例えば、特許文献１参照）。特許文献１に記載された従来の扉体では、地震等によって既設扉体を支持する枠体に歪みが生じて既設扉体が開閉不能になった場合でも、子扉を開くことで脱出することができ、既設扉体に脱出用の機能を持たせることができる。
【先行技術文献】
【特許文献】
【０００３】
【特許文献１】特開２００６−４５８７３号公報
【発明の概要】
【発明が解決しようとする課題】
【０００４】
しかしながら、特許文献１に記載された従来の扉体では、地震等によって既設扉体に歪みが生じると子扉の開閉が困難になってしまう可能性があった。また、既設扉体に開口部を形成しているため、強度が低下して歪みが生じやすく、人間が容易に通過できるように開口部を大きく形成するとこのような不都合がより顕著になる。
【０００５】
さらに、開口部を形成することによって既設扉体の強度が低下してしまうため、開口部の周囲の縁部において既設扉体が歪まないようにしつつ子扉を既設扉体に支持させる必要があり、施工が困難であった。
【０００６】
本発明の目的は、子扉本体を容易に開閉することができるとともに、施工容易な子扉ユニット及び該子扉ユニットの施工方法を提供することにある。
【課題を解決するための手段】
【０００７】
本発明の子扉ユニットは、既設扉体に形成された開口部に設けられる子扉ユニットであって、前記開口部を囲む前記既設扉体の縁部に沿って取り付けられる支持枠体と、前記支持枠体よりも前記開口部の内方に設けられる戸当たり面部を備えるとともに、該支持枠体に支持される子扉用枠体と、前記子扉用枠体に支持される子扉本体と、を備え、前記既設扉体は、互いに離隔した一対の板材を備え、前記支持枠体は、前記一対の板材の間に設けられ、前記子扉用枠体は、前記一対の板材のうち少なくとも一方を前記支持枠体とともに見込み方向から挟む固定部を備え、前記支持枠体と前記固定部とは、前記板材を貫通する固定部材によって互いに固定されることを特徴とする。
【０００８】
以上のような本発明によれば、支持枠体が縁部に沿って既設扉体に取り付けられることで、縁部付近における既設扉体の強度を向上させて歪みが生じることを防止し、子扉本体を容易に開閉することができる。また、開口部を大きく形成しても既設扉体の強度を確保することができ、人間が容易に通過することができる。さらに、既設扉体に支持枠体が設けられて歪みが防止されていることで、子扉用枠体を容易に取り付けることができ、施工性を向上させることができる。
【００１０】
また、支持枠体と子扉用枠体の固定部とが既設扉体の板材を見込み方向から挟んで固定部材によって互いに固定されることで、支持枠体、子扉用枠体、及び、既設扉体を共締めによって簡単な構成で確実に固定することができる。
【００１１】
さらに、本発明の子扉ユニットでは、前記子扉用枠体には、少なくとも室外側から前記固定部を覆う被覆部材が設けられることが好ましい。このような構成によれば、被覆部材が設けられることで、固定部や固定部材が露出することを防ぎ、防犯性を確保するとともに意匠性を向上させることができる。
【００１２】
また、本発明の子扉ユニットでは、前記既設扉体と前記子扉用枠体との間には、止水部材が設けられることが好ましい。このような構成によれば、既設扉体と子扉用枠体との間に止水部材が設けられることで、既設扉体に子扉ユニットを取り付けることによって止水性が低下することを防ぐことができる。
【００１３】
本発明の子扉ユニットは、既設扉体に形成された開口部に設けられる子扉ユニットであって、前記開口部を囲む前記既設扉体の縁部に沿って取り付けられる支持枠体と、前記支持枠体よりも前記開口部の内方に設けられる戸当たり面部を備えるとともに、該支持枠体に支持される子扉用枠体と、前記子扉用枠体に支持される子扉本体と、を備え、前記支持枠体の見付け面には、前記既設扉体に接着される接着部材が設けられ、前記接着部材は、前記見付け面に沿って充填されたハニカム構造を有することを特徴とする。このような本発明によれば、接着部材が見付け面に沿ったハニカム構造を有することで、地震等によって見付け面に沿った方向の力が既設扉体に加わった際に、既設扉体と支持枠体との間において接着部材が変形することによってこの力を吸収することができ、支持枠体に加わる力を低減して支持枠体の変形を抑制することができる。
【００１４】
一方、本発明の子扉ユニットの施工方法は、子扉ユニットを前記既設扉体に設置する子扉ユニットの施工方法であって、前記既設扉体に開口部を形成し、前記支持枠体を前記既設扉体に固定し、前記子扉用枠体を前記支持枠体に固定し、前記子扉本体を前記子扉用枠体に支持させることを特徴とする。このような本発明によれば、前述のように子扉ユニットを容易に取り付けることができるとともに、子扉本体を容易に開閉することができる。
【発明の効果】
【００１５】
以上のような本発明の子扉ユニット及び子扉ユニットの施工方法によれば、既設扉体に支持枠体が取り付けられるとともに該支持枠体に子扉用枠体が支持されることで、子扉本体を容易に開閉することができるとともに、容易に施工することができる。
【図面の簡単な説明】
【００１６】
【図１】本発明の実施形態に係る子扉ユニットが取り付けられた玄関ドアを示す斜視図である。
【図２】前記玄関ドアのＩＩ−ＩＩ断面図である。
【図３】前記玄関ドアのＩＩＩ−ＩＩＩ断面図である。
【図４】前記子扉ユニットの要部を示す斜視図である。
【発明を実施するための形態】
【００１７】
以下、本発明の実施形態を図面に基づいて説明する。本実施形態の子扉ユニット１は、既設扉体Ｄに形成された開口部Ｏに取り付けられて子扉付の玄関ドアＥＤを形成するものであって、図１〜３に示すように、既設扉体Ｄの開口部Ｏの周囲における縁部Ｄ１に沿って設けられた支持枠体２と、支持枠体２に支持されるとともに既設枠体Ｄに取り付けられた子扉用枠体３と、子扉用枠体３に支持される子扉本体４と、子扉本体４を支持するスプリングヒンジ５と、子扉用枠体３を覆う被覆部材６と、を備えて構成されている。既設扉体Ｄは、一対の板材Ｄ２の間にウレタンフォームで構成された断熱材Ｄ３が設けられていることで、断熱性及び防音性を有している。
【００１８】
支持枠体２は、２つのＬ字型部材２１を備え、Ｌ字型部材２１が互いに図示しない金属ボンドで接着されることで開口部Ｏを四方から囲む枠状に形成されるとともに、適宜な接着剤によって板材Ｄ２に接着されている。Ｌ字型部材２１は、支持枠体２が既設扉体Ｄの面内に沿った力によって変形しないように、鋼材やアルミ型材等の金属部材によってＬ形（アングル）やＣ型（チャンネル）、板状（フラットバー）等の断面形状を有して形成されている。
【００１９】
Ｌ字型部材２１における室外側及び室内側の見付け面には、既設扉体Ｄの板材Ｄ２に接着される接着部材２２が設けられている。接着部材２２は、図４に示すように、見付け面に沿って充填された正六角形状のハニカム構造を有しており、その厚さ（見込み方向寸法）が例えば０．３〜１．５ｃｍとされ、対角線の長さが例えば０．３〜１．５ｃｍとされている。尚、接着部材２２の厚さや正六角形の対角線の長さは、既設扉体Ｄの厚さや接着部材２２の接着強度、接着部材２２の剛性等に応じて適宜に設定されていればよい。また、接着部材２２は、Ｌ字型部材２１の室内側の見付け面と室内側の見付け面とのうち少なくとも一方に設けられていればよい。
【００２０】
子扉用枠体３は、図２、３に示すように、既設扉体Ｄの室外側に取り付けられた室外側見付け面部３１と、室内側に取り付けられた室内側見付け面部３２と、見付け面部３１、３２同士を接続する見込み面部３３と、を有して構成されている。室外側見付け面部３１は、支持枠体２よりも開口部Ｏ内方に突出した突出部３１ａを有して形成され、突出部３１ａは、室内側が戸当たり面部として機能するとともに、子扉本体４に当接する気密材３４を保持する気密材保持部３５を備えている。室外側見付け面部３１は、支持枠体２とともに室外側の板材Ｄ２を見込み方向から挟むように設けられて固定部として機能し、室内側見付け面部３２は、支持枠体２とともに室内側の板材Ｄ２を見込み方向から挟むように設けられて固定部として機能する。また、見付け面部３１、３２は、タッピングビス７が挿通される貫通穴３１１、３２１がそれぞれ形成されるとともに、貫通穴３１１、３２１の周囲において、皿ネジであるタッピングビス７の頭部が埋め込まれるようにテーパ状に形成されている。また、見付け面部３１、３２と板材Ｄ２との間には、止水部材としての止水テープ８が設けられ、室外側見付け面部３１と板材Ｄ２との間には、コーキング剤９が充填されている。
【００２１】
子扉本体４は、室内側に取手部４１を備えることで、室内側からのみ開閉可能に設けられている。取手部４１は、下方に動かすことで図示しないラッチがラッチ受けから外れるように設けられているが、ドアノブが設けられていてもよいし、プッシュプル式で開閉可能に設けられていてもよい。また、子扉本体４は、見込み方向に離隔した２枚の金属部材４２を備え、金属部材４２同士の間にはウレタンフォームによって構成された断熱材４３が設けられ、既設扉体Ｄと略同様の断熱性及び防音性を有する。
【００２２】
スプリングヒンジ５は、子扉本体４を室外側に向けて付勢しつつ支持している。室内側に向かって開かれた子扉本体４は、人間が脱出した後にこのような付勢力によって自動的に閉じられる。
【００２３】
被覆部材６は、子扉用枠体３の室外側見付け面部３１を覆うとともに子扉本体４付近にまで延びる第一化粧板６１と、室内側見付け面部３２を覆う第二化粧板６２と、を備える。化粧板６１、６２は、適宜な金属や樹脂等から構成され、接着剤等によって見付け面部３１、３２に固定される。見付け面部３１、３２に化粧板６１、６２が取り付けられていることで、タッピングビス７が露出することを防ぎ、防犯性を確保するとともに意匠性を向上させることができる。
【００２４】
次に、子扉ユニット１を既設扉体Ｄに取り付けて玄関ドアＥＤを形成する施工方法について説明する。まず、支持枠体２及び子扉用枠体３の寸法に合わせて既設扉体Ｄの板材Ｄ２を例えばサンダーによって切断して開口部Ｏを形成する。次に、縁部Ｄ１付近において既設扉体Ｄから断熱材Ｄ３を除去し、一対のＬ字型部材２１のうち一方を板材Ｄ２の間に設けて、接着部材２２によって板材Ｄ２に接着する。さらに、他方のＬ字型部材２１を板材Ｄ２の間に設けて接着部材２２によって板材Ｄ２に接着するとともに、Ｌ字型部材２１同士を接着して支持枠体２を形成する。
【００２５】
さらに、貫通穴３１１、３２１に合わせて板材Ｄ２に貫通穴Ｄ４を形成するとともに、支持枠体２にタッピングビス７用の下穴２２を形成する。子扉用枠体３の貫通穴３１１、３２１と板材Ｄ２の貫通穴Ｄ４とにタッピングビス７を挿通するとともに、タッピングビス７を支持枠体２の下穴２２に締結することによって、子扉用枠体３と既設扉体Ｄとを共締めによって支持枠体２に固定する。このとき、室外側見付け面部３１と室外側の板材Ｄ２との間、及び、室内側見付け面部３２と室内側の板材Ｄ２との間にそれぞれ止水テープ８を挟んで固定する。さらに、固定された子扉用枠体３の室外側見付け面部３１と板材Ｄ２との間にコーキング剤９を充填する。
【００２６】
次に、第一化粧板６１及び第二化粧板６２をそれぞれ室外側見付け面部３１及び室内側見付け面部３２に適宜な接着剤によって接着することで、タッピングビス７や貫通穴３１１、３２１を室外及び室内から隠蔽する。
【００２７】
このような本実施形態によれば、以下のような効果がある。即ち、支持枠体２が縁部Ｄ１に沿って既設扉体Ｄに取り付けられることで、縁部Ｄ１付近における既設扉体Ｄの強度を向上させて歪みが生じることを防止し、地震等によって外力が加わっても子扉本体４を容易に開閉することができる。また、開口部Ｏを大きく形成しても既設扉体Ｄの強度を確保することができ、子扉本体４及びその通路を人間が容易に通過することができる大きさに形成することができる。
【００２８】
さらに、既設扉体Ｄに支持枠体２が設けられて歪みが防止されていることで、子扉用枠体３を容易に取り付けることができ、施工性を向上させることができる。
【００２９】
また、支持枠体２と子扉用枠体３の見付け面部３１、３２とがそれぞれ既設扉体Ｄの板材Ｄ２を見込み方向から挟んでタッピングビス７によって互いに固定されていることで、支持枠体２、子扉用枠体３、及び、既設扉体Ｄを共締めによって簡単な構成で確実に固定することができる。
【００３０】
また、既設扉体Ｄと見付け面部３１、３２との間に止水テープ８が設けられていることで、既設扉体Ｄに子扉ユニット１を取り付けることによって止水性が低下することを防ぐことができる。さらに、子扉用枠体３に気密材３４が設けられていることで、子扉用枠体３と子扉本体４との間で気密性を保つことができる。
【００３１】
また、Ｌ字型部材２１の見付け面に接着部材２２が設けられ、接着部材２２が見付け面に沿ったハニカム構造を有することで、地震等によって見付け面に沿った方向の力が既設扉体Ｄに加わった際に、既設扉体ＤとＬ字型部材２１との間において接着部材２２が変形することによってこの力を吸収することができ、Ｌ字型部材２１に加わる力を低減して支持枠体２の変形を抑制することができる。
【００３２】
なお、本発明は、前記実施形態に限定されるものではなく、本発明の目的が達成できる他の構成等を含み、以下に示すような変形等も本発明に含まれる。例えば、前記実施形態では、支持枠体２に下穴２２を形成するとともに予め形成された貫通穴３１１、３２１にタッピングビス７を挿通することで支持枠体２と子扉用枠体３と既設扉体Ｄとを共締めによって固定するものとしたが、貫通穴は予め形成されていなくてもよいし、支持枠体２にナットが埋め込まれてボルトが締結される構成であってもよいし、ピン状の固定部材が圧入されることで固定される構成であってもよい。
【００３３】
また、前記実施形態では、子扉用枠体３が室外側見付け面部３１及び室内側見付け面部３２を備えるものとしたが、子扉用枠体は、室外側見付け面部を備えた室外側枠体と室内側見付け面部を備えた室内側枠体とが別体に形成されていてもよく、このような構成によれば、開口部Ｏの四方を囲む枠状に形成された室外側枠体及び室内側枠体をそれぞれ室内側及び室内側から支持枠体２に固定することができる、即ち、縦枠と横枠とで別体に形成された子扉用枠体を支持枠体に固定しつつ枠状に組み立てる必要がなく、施工性を向上させることができる。また、見付け面部３１、３２は省略されていてもよく、見込み面部３３と支持枠体２とを固定することで子扉用枠体３が支持枠体２に支持されてもよい。
【００３４】
また、前記実施形態では、室外側見付け面部３１及び室内側見付け面部３２に第一化粧板６１及び第二化粧板６２がそれぞれ取り付けられるものとしたが、第二化粧板６２は省略されていてもよく、タッピングビス７が室外側から隠蔽されていれば防犯性を確保することができる。また、第一化粧板６１を省略するとともに施工後にタッピングビス７のネジ山を潰したり、防犯用の特殊な頭部形状を有するネジを使用したりすることで防犯性を確保してもよい。
【００３５】
また、前記実施形態では、見付け面部３１、３２と板材Ｄ２との間にそれぞれ止水テープ８が設けられるものとしたが、止水テープ８は省略されていてもよく、例えば、室内側見付け面部３２と板材Ｄ２との間にもコーキング剤９が充填されることで止水性が保たれる構成であってもよい。
【００３６】
また、前記実施形態では、Ｌ字型部材２１の見付け面にハニカム構造を有する接着部材２２が設けられるものとしたが、支持枠体２が充分に変形しにくい場合には、例えば、Ｌ字型部材の見付け面にハニカム構造を持たないシート状の接着部材が設けられていてもよいし、Ｌ字型部材が接着剤によって既設扉体Ｄに接着されてもよい。
【００３７】
また、前記実施形態では、子扉ユニット１が一対の板材Ｄ２を備えた既設扉体Ｄに取り付けられるものとしたが、既設扉体は例えばプレスドアのように一枚の板材を備えたものであってもよく、このような既設扉体に支持枠体及び子扉用枠体を見込み方向に重ねて固定すれば、前記実施形態と略同様に支持枠体、子扉用枠体、及び、既設扉体を確実に固定することができる。
【００３８】
また、前記実施形態では、子扉本体４がスプリングヒンジ５によって支持されるものとしたが、子扉本体は例えばスライド式で開閉されるものであってもよく、室内側からのみ開閉可能に設けられていればよい。
【００３９】
また、前記実施形態では、子扉ユニット１が設けられることで形成された玄関ドアＥＤを例示したが、子扉ユニットは玄関用の扉体に限らず建物の外部に出るための扉体に設けられればよい。
【００４０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
Ｄ          既設扉体
Ｄ１        縁部
Ｄ２        板材
Ｏ          開口部
１          子扉ユニット
２          支持枠体
３          子扉用枠体
４          子扉本体
６          被覆部材
７          タッピングビス（固定部材）
８          止水テープ（止水部材）
２２        接着部材
３１        室外側見付け面部（固定部）
３２        室内側見付け面部（固定部）
３１ａ      突出部（戸当たり面部）
【図１】
0006606373.tif 000002
【図２】
0006606373.tif 000003
【図３】
0006606373.tif 000004
【図４】
0006606373.tif 000005